(57)【要約】【課題】  フィルムの開封性を維持しつつも、生産性を向上させることができるシュリンク包装体及び包装方法を提供する。【解決手段】  被包装体Ｘをシュリンク包装したフィルム１を開封するための開封手段２を備えるシュリンク包装体において、開封手段２は、シート状に形成され、フィルム１が開封される際の起点となるべく、所定部位にてフィルム１に溶着されていることを特徴とする。【選択図】  図３
2010111415.tif 000002
【特許請求の範囲】
【請求項１】
被包装体をシュリンク包装したフィルムを開封するための開封手段を備えるシュリンク包装体において、
開封手段は、シート状に形成され、フィルムが開封される際の起点となるべく、所定部位にてフィルムに溶着されていることを特徴とするシュリンク包装体。
【請求項２】
開封手段は、中央部にてフィルムに溶着され、フィルムが開封される際に把持される把持部を外周部の全域に亘って備える請求項１に記載のシュリンク包装体。
【請求項３】
フィルムは、開封手段が熱変形する温度よりも低い温度で熱収縮するように熱収縮性を有すると共に、開封手段が熱変形するのを抑制すべく、開封手段が熱変形する温度よりも低い温度で加熱されることにより、被包装体をシュリンク包装した請求項１又は２に記載のシュリンク包装体。
【請求項４】
被包装体をシュリンク包装したフィルムを開封するための開封手段を備えるシュリンク包装体の包装方法において、フィルムが開封される際の起点となるべく、シート状に形成される開封手段を所定部位にてフィルムに溶着することを特徴とする包装方法。
【発明の詳細な説明】
【技術分野】
【０００１】
本発明は、被包装体をシュリンク包装したフィルムを開封するための開封手段を備えるシュリンク包装体及び包装方法に関する。
【背景技術】
【０００２】
被包装体が熱収縮性のフィルムによりシュリンク包装されるシュリンク包装体においては、フィルムが被包装体に密着しているため、フィルムを開封するのが困難であった。そこで、従来、フィルムの開封性を向上させるべく、フィルムを開封するためのシート状の開封手段がフィルムに貼着されるシュリンク包装体が知られている（例えば、特許文献１）。
【０００３】
かかるシュリンク包装体は、フィルムにＶ字状やＵ字状の切り込みが設けられ、切り込みを覆うように開封手段がフィルムに貼着されている。そして、開封手段をフィルムから剥がすのに伴い、切り込みを起点としてフィルムが破断されるため、フィルムを開封することができる。
【特許文献１】特開２００３−７２８４６号公報
【発明の開示】
【発明が解決しようとする課題】
【０００４】
しかしながら、かかるシュリンク包装体においては、フィルムに切り込みを形成し、開封手段を台紙から剥がし、その開封手段をフィルムに貼着する必要があった。したがって、かかる作業が非常に煩雑であり、生産性を低下させていた。
【０００５】
よって、本発明は、かかる事情に鑑み、フィルムの開封性を維持しつつも、生産性を向上させることができるシュリンク包装体及び包装方法を提供することを課題とする。
【課題を解決するための手段】
【０００６】
本発明に係るシュリンク包装体は、被包装体をシュリンク包装したフィルムを開封するための開封手段を備えるシュリンク包装体において、開封手段は、シート状に形成され、フィルムが開封される際の起点となるべく、所定部位にてフィルムに溶着されていることを特徴とする。
【０００７】
本発明によれば、シート状に形成される開封手段が所定部位にてフィルムに溶着されているため、フィルムが開封される際の起点とすることができる。これにより、例えば、開封手段を引っ張ることにより、被包装体をシュリンク包装したフィルムを開封することができる。
【０００８】
また、本発明に係るシュリンク包装体においては、開封手段は、中央部にてフィルムに溶着され、フィルムが開封される際に把持される把持部を外周部の全域に亘って備えてもよい。
【０００９】
かかる構成によれば、開封手段が中央部にてフィルムに溶着され、フィルムが開封される際に把持される把持部が開封手段の外周部の全域に亘って設けられる。これにより、開封手段の外周部の何れの部位を把持しても、フィルムを開封することができる。
【００１０】
また、本発明に係るシュリンク包装体においては、フィルムは、開封手段が熱変形する温度よりも低い温度で熱収縮するように熱収縮性を有すると共に、開封手段が熱変形するのを抑制すべく、開封手段が熱変形する温度よりも低い温度で加熱されることにより、被包装体をシュリンク包装してもよい。
【００１１】
かかる構成によれば、開封手段が熱変形する温度よりも低い温度で、フィルムが熱収縮するように熱収縮性を有し、さらに、開封手段が熱変形する温度よりも低い温度で、フィルムが加熱されることにより、フィルムが被包装体をシュリンク包装するため、開封手段が熱変形するのを抑制できる。したがって、例えば、開封手段の見栄え（意匠性）を良好に維持することができる。
【００１２】
また、本発明に係る包装方法は、被包装体をシュリンク包装したフィルムを開封するための開封手段を備えるシュリンク包装体の包装方法において、フィルムが開封される際の起点となるべく、シート状に形成される開封手段を所定部位にてフィルムに溶着することを特徴とする。
【００１３】
かかる方法で包装されたシュリンク包装体によれば、シート状に形成される開封手段が所定部位にてフィルムに溶着されているため、フィルムが開封される際の起点とすることができる。これより、例えば、開封手段を引っ張ることにより、被包装体をシュリンク包装したフィルムを開封することができる。
【発明の効果】
【００１４】
以上の如く、本発明に係るシュリンク包装体及び包装方法によれば、開封手段が所定部位にてフィルムに溶着されているため、フィルムが開封される際の起点とすることができ、その結果、フィルムの開封性を維持しつつも、生産性を向上させることができるという優れた効果を奏する。
【発明を実施するための最良の形態】
【００１５】
以下、本発明に係るシュリンク包装体における一実施形態について、図１〜図３を参酌して説明する。
【００１６】
本実施形態に係るシュリンク包装体は、図１に示すように、被包装体Ｘをシュリンク包装したフィルム１と、フィルム１を開封するための開封手段２とを備える。なお、本実施形態において、直方体状に形成される被包装体Ｘを対象としている。
【００１７】
フィルム１は、開封手段２が熱変形する温度よりも低い温度で熱収縮するように熱収縮性を有する。具体的には、フィルム１は、例えば、ポリプロピレン（ＰＰ）、ポリエチレン（ＰＥ）、ポリ塩化ビニル（ＰＶＣ）といった、熱収縮性を有する材質から形成される。即ち、フィルム１は、シュリンク包装フィルムである。
【００１８】
そして、フィルム１は、被包装体Ｘを囲うようにピロー包装された後に、開封手段２が熱変形するのを抑制すべく、開封手段２が熱変形する温度よりも低い温度で加熱されることにより、熱収縮（シュリンク）している。具体的には、フィルム１は、被包装体Ｘに密着するように熱収縮（シュリンク）し、被包装体Ｘをシュリンク包装している。なお、図１において波状に図示されているのは、ピロー包装の際にシールされた端部１１である。
【００１９】
開封手段２は、フィルム１が開封される際の起点となるべく、所定部位にてフィルム１に溶着されており、フィルム１が開封される際に把持される把持部２１を外周部に備える。なお、開封手段２は、例えば、アルミ蒸着フィルム、ラミネートフィルム、紙（被溶着性材質）からなる層を含む多層フィルムといった、耐熱性を有する材質から形成される。
【００２０】
そして、開封手段２は、シート状で、且つ、矩形状に形成される。また、開封手段２は、溶着される部位（以下、「（開封手段２の）溶着部」といい、網掛け線で図示している）２２が環状となるように、フィルム１と溶着している。
【００２１】
把持部２１は、開封手段２が中央部にてフィルム１に溶着されることにより、開封手段２１の外周部の全域に亘って配置されている。また、開封手段２の溶着部２２は、外周縁が矩形状であり、内周縁が円形状の環状である。即ち、フィルム１における溶着される部位（以下、「（フィルム１の）溶着部」という）１２は、開封手段２の溶着部２２と同様に、外周縁が矩形状であり、内周縁が円形状の環状である。
【００２２】
また、図２に示すように、本実施形態に係るシュリンク包装体を包装する包装装置１００は、ロール状に巻かれたフィルム１を解いて供給するフィルム供給部１１０と、ロール状に巻かれた開封手段２を解いて供給する開封手段供給部１２０と、フィルム１に開封手段２を溶着する溶着手段１３０とを備える。
【００２３】
さらに、包装装置１００は、所定間隔で供給された被包装体Ｘを、フィルム供給部１１０から供給されるフィルム１にて製袋（ピロー包装）する製袋部１４０と、製袋されたフィルム１を熱収縮させるべく加熱する加熱部１５０とを備える。
【００２４】
フィルム供給部１１０は、複数のローラ（採番しない）を備え、フィルム１に張力を加えた状態で供給するように構成される。なお、フィルム供給部１１０は、フィルム１に加える張力を調整可能に構成される。
【００２５】
開封手段供給部１２０は、複数のローラ（採番しない）と、開封手段２を切断する切断部１２１とを備え、フィルム供給部１１０にて張力が加えられたフィルム１に沿って、帯状の開封手段２を供給すると共に、開封手段２が溶着手段１３０によりフィルム１に溶着された後に、開封手段２が所定長さとなるように切断するように構成される。
【００２６】
なお、図２において、製袋部１４０より下流側の包装体のフィルム１に溶着している開封手段２のみを図示している。即ち、フィルム供給部１１０及び製袋部１４０におけるフィルム１に溶着されている開封手段２は、図示していない。
【００２７】
溶着手段１３０は、フィルム１及び開封手段２を挟圧し且つ加熱する一対の挟圧片１３１，１３１を備える。そして、各挟圧片１３１のうち少なくとも何れか一方は、他方の挟圧片１３１に接離可能に構成される。本実施形態においては、一方の挟圧片１３１のみが他方の挟圧片１３１に対して相対的に移動可能に構成される。また、各挟圧片１３１のうち少なくとも何れか一方は、フィルム１及び開封手段２を挟圧し且つ加熱する部位が環状となるように形成される。
【００２８】
製袋部１４０は、供給されたフィルム１を長手方向でシールして、チューブ状に形成する第１シール部１４１と、チューブ状に形成されたフィルム１の内部に向けて、被包装体Ｘを所定の間隔で投入する投入部１４２と、フィルム１と被包装体Ｘとを押圧しつつ搬送する搬送部１４３と、被包装体Ｘの前後にてフィルム１を幅方向でシール及び切断して、袋状に形成する第２シール部１４４とを備える。
【００２９】
加熱部１５０は、トンネル状に形成され、製袋部１４０で袋状にされた包装体（フィルム１に包装された被包装体Ｘ）が内部を通過する際に、温風にて加熱する。具体的には、加熱部１５０は、開封手段２が熱変形するのを抑制すべく、開封手段２が熱変形する温度よりも低い温度（例えば１４０℃〜１５０℃）で加熱する。
【００３０】
本実施形態に係るシュリンク包装体の構成は以上の通りであり、次に、本実施形態に係るシュリンク包装体におけるフィルム１の開封方法について説明する。
【００３１】
まず、図３（ａ）に示すように、開封手段２の把持部２１を把持し、開封手段２をフィルム１から離れるように引っ張る。このとき、把持部２１が開封手段２の外周部の全域に亘って配置されているため、開封手段２の外周部の何れの部位を把持してもよい。
【００３２】
そして、フィルム１と開封手段２とが各溶着部１２，２２にて溶着されているため、開封手段２を介してフィルム１の溶着部１２が引っ張られる。すると、図３（ｂ）に示すように、各溶着部１２，２２が離れることなく（溶着された状態を維持して）、フィルム１の溶着部１２を起点として、フィルム１が破断するため、被包装体Ｘに密着したフィルム１を容易に開封できる。
【００３３】
以上より、本実施形態に係るシュリンク包装体は、シート状に形成される開封手段２がフィルム１に溶着されているため、フィルム１が開封される際の起点となる。これより、開封手段２の把持部２１が把持されて引っ張られることにより、被包装体Ｘをシュリンク包装したフィルム１を開封することができる。したがって、フィルム１の開封性を維持しつつも、生産性を向上させることができる。
【００３４】
また、本実施形態に係るシュリンク包装体は、開封手段２が中央部にてフィルム１に溶着され、フィルム１が開封される際に把持される把持部２１が開封手段２の外周部の全域に亘って設けられる。これにより、開封手段２の外周部の何れの部位を把持しても、フィルム１を開封することができる。
【００３５】
また、本実施形態に係るシュリンク包装体は、開封手段２が熱変形する温度よりも低い温度で、フィルム１が熱収縮するように熱収縮性を有し、さらに、開封手段２が熱変形する温度よりも低い温度で、フィルム１が加熱されることにより、フィルム１が被包装体Ｘをシュリンク包装するため、開封手段２が熱変形するのを抑制できる。したがって、例えば、開封手段２の見栄え（意匠性）を良好に維持することができる。
【００３６】
また、本実施形態に係るシュリンク包装体は、フィルム１及び開封手段２を挟圧し且つ加熱する部位が環状となるように形成される挟圧片１３１により、フィルム１及び開封手段２が溶着されているため、各溶着部１２，２２が環状に形成される。これにより、開封手段２の外周部の何れの部位を把持しても、引っ張る際の力加減等が略同じでフィルム１を開封することができる。
【００３７】
また、挟圧片１３１が環状に形成される部位によりフィルム１及び開封手段２を挟圧し且つ加熱するため、例えば、円形状や矩形状に形成される部位全体で、フィルム１及び開封手段２を挟圧し且つ加熱する場合と比較して、確実に挟圧でき、熱溶着性に優れる。したがって、フィルム１の開封性を向上させることができる。
【００３８】
なお、本発明に係るシュリンク包装体及び包装方法は、上記した実施の形態に限定されるものではなく、本発明の要旨を逸脱しない範囲内において種々変更を加え得ることは勿論である。
【００３９】
例えば、上記実施形態に係るシュリンク包装体においては、溶着部１２，２２が環状となるように形成される場合を説明したが、かかる場合に限られない。例えば、図４（ａ）に示すように、開封手段３の溶着部３１が円形状（全体）である場合でもよく、また、矩形状である場合でもよく、さらには、断続的な環状である場合でもよい。
【００４０】
また、上記実施形態に係るシュリンク包装体においては、フィルム１に開封手段２を溶着させてから、フィルム１にて被包装体Ｘを製袋する場合を説明したが、かかる場合に限られず、フィルム１にて被包装体Ｘを製袋した後に、フィルム１に開封手段２を溶着させる場合でもよい。
【００４１】
また、本発明に係るシュリンク包装体は、開封手段や溶着部が点対称の形状となるように形成されてもよい。具体的には、図４（ｂ）に示すように、開封手段４が円形状となるように形成されると共に、溶着部４１が円環状となるように形成されてもよい。これにより、開封手段４の外周部の何れの部位を把持しても、全く同じ状況（引っ張る際の力加減等）でフィルム１を開封することができる。
【００４２】
また、本発明に係るシュリンク包装体は、フィルム１と開封手段２とを、ヒートシール（熱溶着）で溶着する場合でもよく、また、超音波溶着で溶着する場合でもよい。
【００４３】
また、本発明に係るシュリンク包装体は、図５に示すように、開封手段５が複数の面に跨って配置され、開封手段５に商品の情報を表示する表示部５１を備える場合でもよい。なお、かかる開封手段５は、長手方向の両端部（裏面側）に溶着部５２，５２を備えている。
【００４４】
さらには、図６（ａ）に示すように、表面側の一端側に溶着部５３を備え、景品や情報表示のカード６を収容可能に構成される場合でもよい。なお、図５や図６（ａ）に示す開封手段５においては、自己伸縮性を有する材質（例えば、ポリエチレン（ＰＥ））で形成されることにより、シュリンク包装された際の開封手段５の見栄えを向上させることができる。
【００４５】
また、本発明に係るシュリンク包装体は、図６（ｂ）に示すように、開封手段７が被包装体Ｘから突出するように配置される場合でもよい。これにより、開封手段７をポップアップラベルとしても兼用することができる。なお、溶着部７１は、一端側に設けられている。
【００４６】
また、本発明に係るシュリンク包装体は、図７に示すように、複数の被包装体Ｘ，…をまとめてシュリンク包装した場合に、各被包装体Ｘのポスマーク（バーコード）Ｘ１を隠すべく、開封手段８が各被包装体ＸのポスマークＸ１を覆うように配置される場合でもよい。これにより、各被包装体ＸのポスマークＸ１を読み取ることなく、まとめ売りのためのポスマーク８１を確実に読み取ることができる。なお、溶着部８２は、長手方向の両端側に設けられている。
【図面の簡単な説明】
【００４７】
【図１】本発明の一実施形態に係るシュリンク包装体の全体図であって、斜視図を示す。
【図２】同実施形態に係るシュリンク包装体の製造方法を説明する概要図を示す。
【図３】同実施形態に係るシュリンク包装体のフィルム開封方法を説明する全体図であって、（ａ）及び（ｂ）はそれぞれ斜視図を示す。
【図４】本発明の他の実施形態に係るシュリンク包装体の全体図であって、（ａ）及び（ｂ）はそれぞれ平面図を示す。
【図５】本発明のさらに他の実施形態に係るシュリンク包装体の全体図であって、（ａ）は表面側の斜視図、（ｂ）は裏面側の斜視図を示す。
【図６】本発明のさらに他の実施形態に係るシュリンク包装体の全体図であって、（ａ）及び（ｂ）はそれぞれ斜視図を示す。
【図７】本発明のさらに他の実施形態に係るシュリンク包装体の全体図であって、（ａ）は開封手段が溶着される前の斜視図、（ｂ）は開封手段が溶着された後の斜視図を示す。
【符号の説明】
【００４８】
１…フィルム、２…開封手段、１１…（フィルムの）溶着部、２１…把持部、２２…（開封手段の）溶着部、Ｘ…被包装体
【図１】
2010111415.tif 000003
【図２】
2010111415.tif 000004
【図３】
2010111415.tif 000005
【図４】
2010111415.tif 000006
【図５】
2010111415.tif 000007
【図６】
2010111415.tif 000008
【図７】
2010111415.tif 000009